(57)【要約】【課題】  実用的な構成により、簡単な操作で短時間に記録媒体の不要録画を消去して記録媒体の記録の整理が行えるようにし、記録媒体を有効に利用できるようにする。【解決手段】  保存開始位置受付部（開始位置受付手段）６により、不要録画部分を含むタイトル録画が行なわれた記録媒体１の有効録画部分の開始位置の目視による決定を受け付け、保存時間入力受付部（保存時間受付手段）７により、前記有効録画部分の録画時間の通知を受け付け、編集処理部５の録画編集により、記録媒体１のタイトル録画の開始位置より前方の不要録画部分及び開始位置から通知された録画時間進んだ位置より後方の不要録画部分を消去し、記録媒体１の不要録画部分を自動的に消去して記録媒体１の記録を整理する。【選択図】図１
2007095141.tif 000002
【特許請求の範囲】
【請求項１】
保存する有効録画部分の少なくとも前又は後の何れか一方に不要録画部分を含むタイトル録画が行なわれた記録媒体の再生及び録画編集の機能と、前記記録媒体の録画の再生画面からの前記有効録画部分の開始位置の目視による決定を受け付ける開始位置受付手段と、前記有効録画部分の録画時間の通知を受け付ける保存時間受付手段とを備え、前記録画編集により、前記記録媒体の前記タイトル録画の前記開始位置より前方の不要録画部分及び前記開始位置から通知された前記録画時間進んだ位置より後方の不要録画部分を消去し、前記記録媒体の記録を整理するようにしたことを特徴とする録画編集装置。
【請求項２】
保存時間受付手段が記録媒体のタイトル録画の保存する有効録画部分の録画時間の通知に代えて前記有効録画部分の録画時間を分割した複数の分割時間の通知を受け付け、録画編集により、前記有効録画部分の開始位置の目視による決定と、前記各分割時間の通知とに基き、前記記録媒体の前記タイトル録画の前記開始位置より前方の不要録画部分及び前記開始位置から前記各分割時間進んだ位置より後方の不要録画部分を消去し、かつ、前記有効録画部分の録画を前記各分割時間づつの部分録画に分割し、前記記録媒体の記録を整理するようにしたことを特徴とする請求項１記載の録画編集装置。
【請求項３】
保存する有効録画部分の少なくとも前又は後の何れか一方に不要録画部分を含むタイトル録画が行なわれた記録媒体の録画編集により、前記記録媒体の録画の再生画面からの前記有効録画部分の開始位置の目視による決定と、前記有効録画部分の録画時間の通知とに基き、前記記録媒体の前記タイトル録画の前記開始位置より前方の不要録画部分及び前記開始位置から通知された前記録画時間進んだ位置より後方の不要録画部分を消去し、前記記録媒体の記録を整理することを特徴とする録画編集方法。
【請求項４】
記録媒体のタイトル録画の保存する有効録画部分の録画時間の通知に代えて前記有効録画部分の録画時間を分割した複数の分割時間が通知され、前記有効録画部分の開始位置の目視による決定と、前記各分割時間の通知とに基き、前記記録媒体の前記タイトル録画の前記開始位置より前方の不要録画部分及び前記開始位置から通知された前記各分割時間進んだ位置より後方の不要録画部分を消去し、かつ、前記有効録画部分の録画を前記各分割時間づつの部分録画に分割し、前記記録媒体の記録を整理することを特徴とする請求項３記載の録画編集方法。
【発明の詳細な説明】
【技術分野】
【０００１】
本発明は、不要録画部分を含むタイトル録画が行なわれた記録媒体の前記不要録画部分を削除する録画編集装置及び録画編集方法に関する。
【背景技術】
【０００２】
従来、ハードディスクや書き込み可能なＤＶＤような大容量の記録媒体を備えたビデオレコーダ等は、例えば録画予約したテレビ放送の各番組等を個別のタイトルで記録媒体に録画（タイトル録画）することができるようになっているが、特に録画予約等の場合には、直前のスポーツ番組等の放送時間の伸縮や臨時番組の割り込み等によって録画対象の番組の放送開始時刻が変わる等することがあるため、多くのユーザは、録画予約の開始時刻を新聞のテレビ欄や受信した電子番組表（ＥＰＧ）の放送開始予定時刻より早い時刻にセットしたり、録画終了時刻を放送終了予定時刻より遅い時刻にセットしたりして、録画の失敗をしないようにしている。尚、録画を一層確実に行なうため、録画終了時刻をセットしないで、記録媒体の容量一杯まで録画し続けることも行なわれている。
【０００３】
そのため、記録媒体の各番組等のタイトル録画は録画対象の番組が録画された有効録画部分の前、後に不要録画部分を含んでなされることが多く、無駄が多い。
【０００４】
そこで、タイトル録画後に記録媒体の録画編集を行なって、記録媒体の前述の不要録画部分を消去し、記録媒体の記録を整理して記録媒体を有効に利用することが望まれ、従来は、前述のビデオレコーダ等に内蔵した録画編集装置により、ビデオレコーダ等を編集モードにして記録媒体を再生し、その再生画面からユーザが目視によって前記不要録画部分の先頭位置（開始位置）、終了位置それぞれを確認して決定（指定）することにより、記録媒体の指定された先頭位置から終了位置までの部分の録画を消去して記録媒体の記録を整理している（例えば、特許文献１参照。）。
【０００５】
尚、前記特許文献１には、記録媒体に録画された番組等の開始から一定時間後及び終了の一定時間前に発生する所定のタイトル画像やフレーズの音声等を検知することで記録媒体の前記有効録画部分の始終端を検出して不要録画部分を認識し、認識した不要録画部分の録画を消去して記録媒体の記録を自動的に整理することも記載されている。
【特許文献１】特開２００１−５４０５６号公報（要約書、段落［０００６］、[００１０]−［００２２］、図１等）
【発明の開示】
【発明が解決しようとする課題】
【０００６】
上記従来の録画編集装置のように、記録媒体の録画の再生画面からユーザが前記不要録画部分の開始位置だけでなく終了位置まで目視して決定するのでは、操作が繁雑で面倒であり、しかも、通常は有効録画部分の前、後の両方に不要録画部分が存在するのでタイトル録画を始めから終わりまで再生し、前、後の両方の不要録画部分それぞれについて、開始位置と終了位置を決定する必要があり、操作が繁雑で面倒なだけでなく、時間がかかる問題もある。
【０００７】
又、所定のタイトル画像やフレーズの音声等を検知することで記録媒体の有効録画部分の始終端を検出して不要録画部分を認識し、認識した不要録画部分の録画を消去して記録媒体の記録を自動的に整理するようにする場合は、不要録画部分の開始位置や終了位置の指定は不要になるが、所定のタイトル画像やフレーズの音声等を検知するために、それらのタイトル画像やフレーズの音声等の知識ベースを予め構築して用意しておく必要がある。
【０００８】
そして、所定のタイトル画像やフレーズの音声等を正確に検知し得る知識ベースを構築することは容易でなく、しかも、タイトル画像やフレーズの音声等が変わったりすると、その都度知識ベースを構築しなおさなければならず、汎用性に欠け、実現困難で実用的でない。
【０００９】
ところで、記録媒体の不要録画部分を消去し、記録媒体に有効録画部分の録画のみを残して保存する場合、前記有効録画部分の録画が複数の短編で構成されているようなときには、不要録画部分を消去するだけでなく、保存する前記有効録画部分の録画を各短編の単位等の複数個の部分録画に分割して整理することも望まれる。
【００１０】
本発明は、タイトル画像やフレーズの音声等の知識ベースを必要としない実用的な構成により、簡単な操作で短時間に記録媒体の不要録画部分を消去して記録媒体の記録の整理が行えるようにし、記録媒体を有効に利用できるようにすることを目的とし、さらには、記録媒体の不要録画部分を消去すると同時に、保存する有効録画部分の録画を複数個の部分録画に分割して整理することができるようにすることも目的とする。
【課題を解決するための手段】
【００１１】
上記の目的を達成するために、本発明の録画編集装置は、保存する有効録画部分の少なくとも前又は後の何れか一方に不要録画部分を含むタイトル録画が行なわれた記録媒体の再生及び録画編集の機能と、前記記録媒体の録画の再生画面からの前記有効録画部分の開始位置の目視による決定を受け付ける開始位置受付手段と、保存する前記有効録画部分の録画時間の通知を受け付ける保存時間受付手段とを備え、前記録画編集により、前記記録媒体の前記タイトル録画の前記開始位置より前方の不要録画部分及び前記開始位置から通知された前記録画時間進んだ位置より後方の不要録画部分を消去し、前記記録媒体の記録を整理するようにしたことを特徴としている（請求項１）。
【００１２】
又、請求項１に記載の録画編集装置における保存時間受付手段が、記録媒体のタイトル録画の保存する有効録画部分の録画時間の通知に代えて前記有効録画部分の録画時間を分割した複数の分割時間の通知を受け付け、録画編集により、前記有効録画部分の開始位置の目視による決定と、前記各分割時間の通知とに基き、前記記録媒体の前記タイトル録画の前記開始位置より前方の不要録画部分及び前記開始位置から前記各分割時間進んだ位置より後方の不要録画部分を消去し、かつ、前記有効録画部分の録画を前記各分割時間づつの部分録画に分割し、前記記録媒体の記録を整理するようにしたことを特徴としている（請求項２）。
【００１３】
つぎに、本発明の録画編集方法は、保存する有効録画部分の少なくとも前又は後の何れか一方に不要録画部分を含むタイトル録画が行なわれた記録媒体の記録整理の録画編集により、前記記録媒体の録画の再生画面からの前記有効録画部分の開始位置の目視による決定と、前記有効録画部分の録画時間の通知とに基き、前記記録媒体の前記タイトル録画の前記開始位置より前方の不要録画部分及び前記開始位置から通知された前記録画時間進んだ位置より後方の不要録画部分を消去し、前記記録媒体の記録を整理することを特徴としている（請求項３）。
【００１４】
又、請求項３に記載の録画編集方法における記録媒体のタイトル録画の保存する有効録画部分の録画時間の通知に代えて前記有効録画部分の録画時間を分割した複数の分割時間が通知され、前記有効録画部分の開始位置の目視による決定と、前記各分割時間の通知とに基き、前記記録媒体の前記開始位置より前方の不要録画部分及び前記開始位置から通知された前記各分割時間進んだ位置より後方の不要録画部分を消去し、かつ、前記有効録画部分の録画を前記各分割時間づつの部分録画に分割し、前記記録媒体の記録を整理することを特徴としている（請求項４）。
【発明の効果】
【００１５】
まず、請求項１、３の発明によれば、ユーザが記録媒体の録画の再生画面からタイトル録画の保存する有効録画部分の開始位置のみを目視により決定し、前記有効録画部分の録画時間、換言すれば、例えば録画した番組の放送時間を通知することにより、不要録画部分の開始位置、終了位置の両方を再生画面から目視によって決定することなく、前記有効録画部分の前、後の不要録画部分を自動的に消去することができる。
【００１６】
そして、上述の所定のタイトル画像やフレーズの音声等の知識ベース等を必要としないため、容易に実現することができる実用的な構成により、有効録画部分の開始位置のみを目視により決定する簡単な操作で短時間に記録媒体の不要録画部分を消去し、記録媒体の記録を整理して記録媒体を有効に利用することができる。
【００１７】
又、請求項２、４の発明によれば、ユーザが記録媒体の再生画面から保存する有効録画部分の開始位置のみを目視により決定し、前記有効録画部分の録画時間を通知する代わりに、例えば録画した番組の放送時間を複数個に分割した各分割時間を通知することにより、請求項１、３の発明のように不要録画部分の開始位置、終了位置の両方を再生画面から目視によって決定したりすることなく、前記有効録画部分の前、後の不要録画部分を自動的に消去することができ、しかも、残った前記有効録画部分の録画を各分割時間の短編等の単位の部分録画に分割して整理することができる。
【００１８】
したがって、記録媒体の不要録画を消去すると同時に保存する有効録画部分の録画を複数個の部分録画に分割して整理することができ、利便性等の向上を図ることができる。
【発明を実施するための最良の形態】
【００１９】
つぎに、本発明をより詳細に説明するため、その一実施形態について、図１〜図４にしたがって詳述する。尚、本実施形態では、例えば大容量のハードディスクを記録媒体として録画予約等が行えるビデオレコーダに内蔵された録画編集装置について以下の説明を続けるが、本発明を限定するものではないことを言及する。
【００２０】
図１は録画編集装置の回路ブロック図である。図２は記録媒体の録画状態の一例を示しており、図３は動作説明のフローチャートである。又、図４は記録媒体のタイトル録画の有効録画部分を複数個（２個）に分割して整理保存する場合を示している。
【００２１】
そして、図１に示すように、大容量のハードディスクからなる記録媒体１の録画編集装置は、全体の制御、処理を行う制御部２に、操作部３、記録／再生処理部４、編集処理部５、保存開始位置受付部６、保存時間入力受付部７を接続して形成され、各部２〜７は例えばマイクロコンピュータによって形成されている。
【００２２】
操作部３はユーザが操作するリモコン等からなる。記録／再生処理部４は制御部２の制御にしたがって記録媒体１に所定のフォーマットの録画や再生を施し、記録媒体１の再生の機能を実現して再生出力を図示省略した液晶表示装置等に供給し、再生映像を画面表示すると共に再生音声をスピーカ等から出力する。
【００２３】
又、保存開始位置受付部６は本発明の開始位置受付手段を形成し、記録媒体１の録画の再生画面からの保存する有効録画部分の開始位置の目視による決定、具体的には、画面に表示された録画の前記開始位置でのキー操作を受け付ける。
【００２４】
保存時間入力受付部７は本発明の保存時間受付手段を形成し、通常は、記録媒体１のタイトル録画の保存する有効録画部分の録画時間の通知、すなわち、録画した番組の実際の放送時間等の設定を受け付け、分割保存が選択されたときは、前記有効録画部分の録画時間を分割した複数の分割時間の通知、具体的には前記録画した番組が複数個の短編で構成されているような場合に、実際の放送時間を各短編の時間に分割した分割時間の設定を受け付ける。尚、前記録画時間や前記各分割時間の通知は、極力操作を簡素化する場合、例えば、ＧＵＩ（Ｇｒａｐｈｉｃａｌ  Ｕｓｅｒ  Ｉｎｔｅｒｆａｃｅ）により 複数の時間選択ボタン等を画面表示し、ユーザが適当な時間選択ボタンを画面上で選択することによって行なわれる。
【００２５】
編集処理部５は操作部１のキー操作等によって編集モードが選択されたときに動作し、制御部２を介して入力される保存開始位置受付部６の有効録画部分の開始位置の決定及び、保存時間入力受付部７の有効録画部分の録画時間や各分割時間の通知に基き、後述する記録媒体１の記録の整理を行なってタイトル録画された記録媒体１の録画編集の機能を形成する。
【００２６】
そして、録画予約によって所望の番組を記録媒体１に確実に録画するため、ユーザが、録画予約の開始時刻を新聞のテレビ欄や受信した電子番組表（ＥＰＧ）の放送開始予定時刻より早い時刻にセットしたり、録画終了時刻を放送終了予定時刻より遅い時刻にセットすることにより、録画後の記録媒体１は、例えば図２に示すように当該番組のタイトル録画として、保存したい番組（当該番組）が記録された有効録画部分ａの前、後に不要録画部分ｂ、ｃ、ｄが存在する録画が行なわれる。
【００２７】
尚、各録画部分ａ〜ｄは記録媒体１の未記録部分に記録制御にしたがって連続的に或いは分散して記録され、物理的に連続しているとは限らない。又、図２の記録媒体１の場合、前方の不要録画部分ｂには例えば直前の番組の延長部分が記録され、後方の連続する不要録画部分ｃ、ｄには例えば保存したい番組の後に放送された番組１、２が記録されている。
【００２８】
つぎに、図２のようにタイトル録画された記録媒体１の不要録画を消去して記録媒体１の記録を整理するため、ユーザが操作部３のキー操作等で記録媒体１の録画編集を制御部２に指令すると、装置全体が録画編集モードになり、図３のステップＳ１〜Ｓ５の処理を実行する。
【００２９】
そして、最初に例えば制御部２の管理用のメモリ部（図示せず）に書き換え自在に保持された記録媒体１の各タイトル録画の一覧が画面表示され、該画面表示からユーザが編集対象の図２のタイトル録画を選択することにより、制御部２が図２のタイトル録画の再生を記録／再生処理部４に指令し、該記録／再生処理部４が記録媒体１の図２のタイトル録画を先頭（始め）から再生する（ステップＳ１）。
【００３０】
この再生により図２のタイトル録画が不要部分ｂから順に画面表示され、該画面表示が不要部分ｂの再生画面から保存する有効録画部分ａの番組の画面に変化することにより、ユーザが記録媒体１の録画の再生画面からの有効録画部分ａの開始位置（図２の決定位置Ｐ）を目視によって決定し、所定のキー操作等によって決定位置Ｐを保存開始位置受付部６に通知する（ステップＳ２）。
【００３１】
前記決定位置Ｐの通知があると、制御部２の制御によって記録／再生処理部４は記録媒体の再生を終了し、保存時間入力受付部７により、例えば前述の複数の時間選択ボタン等が画面表示され、ユーザが保存したい有効録画部分ａの録画時間、具体的には、有効録画部分ａの番組の放送時間の時間選択ボタンをクリック等して選択し、保存する有効録画部分ａの録画時間（以下、保存時間という）Ｈを保存時間入力受付部７に通知する（ステップＳ３）。
【００３２】
そして、保存開始位置受付部６に通知された決定位置Ｐと、保存時間入力受付部７に通知された保存時間Ｈとに基き、編集処理部５は不要部分消去の編集処理を実行し、図２のタイトル録画の先頭から決定位置Ｐまでの前方の不要録画部分ｂ及び決定位置Ｐから保存時間Ｈ進んだ位置Ｑの後方の不要録画部分ｃ、ｄを認識し、記録／再生処理部４を介して記録媒体１にアクセスし、不要録画部分ｂ、ｃ、ｄを自動的に削除して消去する（ステップＳ４）。
【００３３】
尚、記録媒体１の各タイトル録画が例えばＤＶＤ−ＶＲフォーマットのファイル形式で記録される場合、編集処理部５による不要録画部分ｂ、ｃ、ｄの消去は、具体的には、メニューファイル（各ＩＦＯファイル）、ビデオファイル（各ＶＲＯファイル）の管理情報を更新して行なわれ、例えば、「ＶＲ＿ＭＯＶＩＥ．ＶＲＯ」のビデオファイルについては、ＶＯＢ（Ｖｉｄｅｏ  ＯＢｊｅｃｔ）ファイルの時間情報マップ（Ｔｉｍｅ  ＭＡＰ）を保存する有効録画部分（保存部分）ａのＶＯＢＵ（Ｖｉｄｅｏ  ＯＢｊｅｃｔ  Ｕｎｉｔ）の時間情報マップに更新し、ＶＯＢＵ内のタイムエントリを更新し、不要になったＶＯＢＵデータ部分を消去して行なわれる。
【００３４】
そして、不要録画部分ｂ、ｃ、ｄの消去が終了すると、図３のタイトル作成編集処理（ステップＳ５）に移行し、必要に応じて制御部２の管理用のメモリ部の各タイトル録画の一覧等が編集されて一連の編集処理が終了する。
【００３５】
したがって、不要録画部分ｂ、ｃ、ｄの開始位置、終了位置の両方を目視によって決定することなく、タイトル録画の保存する有効録画部分ａの決定位置Ｐのみを目視により決定し、有効録画部分ａの保存時間Ｈを通知する簡単な操作で、選択したタイトル録画の有効録画部分ａの前、後の不要録画部分ｂ、ｃ、ｄを自動的に削除して消去することができる。
【００３６】
そして、上述の所定のタイトル画像やフレーズの音声等の知識ベース等を必要としないため、容易に実現することができる実用的な構成により、簡単な操作で短時間に記録媒体１の不要録画部分ｂ、ｃ、ｄを消去し、記録媒体１の記録を整理して記録媒体１を有効に利用することができる。
【００３７】
ところで、例えば図４に示すように、記録媒体１の有効録画部分ａの録画された番組を複数（ここでは２つ）の分割時間ｈ１、ｈ２（ｈ１＋ｈ２＝Ｈ）の録画（保存部分ａ１、ａ２の録画）に分割して保存する場合は、図３のステップＳ２で決定位置Ｐを保存開始位置受付部６に通知した後、キー操作等によって分割保存の選択を制御部２に通知してステップＳ３に移行し、例えば、分割時間ｈ１、ｈ２の時間選択ボタンを順にクリックして保存時間入力受付部７に分割時間ｈ１、ｈ２を通知する。
【００３８】
この場合、保存開始位置受付部６に通知された決定位置Ｐと、保存時間入力受付部７に通知された分割時間ｈ１、ｈ２とに基き、編集処理部５は不要部分消去の編集処理を実行し、ステップＳ４により、図４のタイトル録画の先頭から決定位置Ｐまでの前方の不要録画部分（不要部分）ｂ及び決定位置Ｐから分割時間ｈ１、ｈ２、すなわち、上述の保存時間Ｈ進んだ位置Ｑの後方の不要録画部分（不要部分）ｅを認識し、記録／再生処理部４を介して記録媒体１にアクセスし、不要録画部分ｂ、ｅを自動的に削除して消去する。尚、図４では図２の不要録画部分ｃ、ｄを１つの不要部分ｅで示している。
【００３９】
さらに、図３のタイトル作成編集処理（ステップＳ５）に移行し、編集処理部５が、消去されなかった有効録画部分ａの録画を分割時間ｈ１、ｈ２づつの部分録画に分割し、保存時間ａのタイトル録画に代えて分割時間ｈ１、ｈ２のタイトル録画を形成し、該両タイトル録画の形成に連動して制御部２の管理用のメモリ部の各タイトル録画の一覧等が編集されて書き換えられ、一連の編集処理が終了する。尚、分割時間ｈ１、ｈ２の部分録画のタイトル録画に分割する場合、分割時間ｈ１の保存部分ａ１の録画に対しては元のＩＦＯファイル、ＶＲＯファイルのデータを編集し、分割時間ｈ２の保存部分ａ２の録画に対しては新たにＩＦＯファイル、ＶＲＯファイルを生成する。
【００４０】
したがって、記録媒体１の不要録画を消去すると同時に保存する有効録画部分ａの録画を複数個（２個）の部分録画に分割して整理することができ、編集後の録画内容の検索等が一層容易になり、利便性等の向上を図ることができる。
【００４１】
そして、本発明は上記した実施形態に限定されるものではなく、その趣旨を逸脱しない範囲において上述したもの以外に種々の変形実施を行うことが可能であり、例えば、不要録画部分が有効録画部分の前方又は後方にのみ存在する場合にも本発明を同様に適用することができる。
【００４２】
又、保存時間Ｈ、分割時間ｈ１、ｈ２は、例えば図３のステップＳ３において、電子番組表（ＥＰＧ）等の時間データを利用して自動的に決定するようにしてもよい。
【００４３】
さらに、回路ブロックの構成や録画編集の手順等はどのようであってもよく、記録媒体１は、ハードディスクに代えて書き換え可能なＤＶＤやビデオテープ等であってもよく、ハードディスク、ＤＶＤ、ビデオテープ等の複数個の媒体の組み合わせ等であってもよい。
【００４４】
つぎに、上述の決定位置Ｐは録画した番組等の開始点に一致していなくてもよく、決定位置Ｐからの保存時間Ｈ等を、例えば番組開始から決定位置Ｐまでの時間と番組の全時間等から求めてユーザが通知することにより、当該番組を途中から保存するようにしてもよく、さらに、保存時間Ｈを実際より短くして当該番組の必要な一部のみを保存することも可能である。
【図面の簡単な説明】
【００４５】
【図１】本発明の一実施形態を適用した録画編集装置の回路ブロック図である。
【図２】本発明の一実施形態の記録媒体の録画状態の一例の説明図である。
【図３】本発明の一実施形態の動作説明のフローチャートである。
【図４】本発明の一実施形態の記録媒体のタイトル録画の有効録画部分を分割して整理保存する場合の説明図である。
【符号の説明】
【００４６】
１    記録媒体
２    制御部
３    操作部
４    記録／再生処理部
５    編集処理部
６    保存開始位置受付部
７    保存時間入力受付部
ａ    有効録画部分
ｂ、ｃ、ｄ    不要録画部分
Ｈ    保存時間
ｈ１、ｈ２    分割時間
Ｐ    決定位置
【図１】
2007095141.tif 000003
【図２】
2007095141.tif 000004
【図３】
2007095141.tif 000005
【図４】
2007095141.tif 000006